(57)【要約】      （修正有）【課題】処理能力の向上を図った製紙用スクリーン装置を提供する。【解決手段】製紙用スクリーン装置１は、製紙原料の入口部３１、精選出口部３２、異物出口部３３を有すると共に、該製紙原料を貯留する槽３と、この槽３内に設けて槽３内を一次室３Ａと二次室３Ｂに区画し、天井と底面を開放すると共に、外側面に開口部を有した円筒形状のスクリーン２と、この円筒形状のスクリーン２の内側に位置する一次室３Ａに設けられた撹拌部材４と、円筒形状のスクリーン２に当接して円筒形状のスクリーン２が撹拌部材４に接触しない範囲で円筒形状のスクリーン２を振動させる振動部材５とを備え、入口部３１及び異物出口部３３を一次室３Ａに、精選出口部３２を二次室３Ｂに臨ませたものである。【選択図】図１
2008223151.tif 000002
【特許請求の範囲】
【請求項１】
製紙原料の入口部、精選出口部、異物出口部を有すると共に、該製紙原料を貯留する槽と、
この槽内に設けて前記槽内を一次室と二次室に区画し、天井と底面を開放すると共に、外側面に開口部を有した円筒形状のスクリーンと、
この円筒形状のスクリーンの内側に位置する前記一次室に設けられた撹拌部材と、
前記円筒形状のスクリーンに当接して前記円筒形状のスクリーンが前記撹拌部材に接触しない範囲で前記円筒形状のスクリーンを振動させる振動部材とを備え、
前記入口部及び前記異物出口部を前記一次室に、前記精選出口部を前記二次室に臨ませた
ことを特徴とする製紙用スクリーン装置。
【請求項２】
円筒形状のスクリーンの外周に突出して設けられた突出部と、
槽内に設けられて、前記突出部を支持する支持部材と、
この支持部材と前記突出部との間に介在する振動吸収材とを備えている
ことを特徴とする請求項１記載の製紙用スクリーン装置。
【請求項３】
製紙原料の入口部、精選出口部、異物出口部を有すると共に、該製紙原料を貯留する槽と、
この槽内に設けて前記槽内を一次室と二次室に区画し、閉塞した天井面と開放した底面を備えると共に、外側面に開口部を有した円筒形状のスクリーンと、
この円筒形状のスクリーンの外側に位置する前記二次室内に設けられた撹拌部材と、
前記円筒形状のスクリーンに当接して前記円筒形状のスクリーンが前記撹拌部材に接触しない範囲で前記円筒形状のスクリーンを振動させる振動部材とを備え、
前記入口部及び前記異物出口部を前記二次室に、前記精選出口部を前記一次室に臨ませた
ことを特徴とする製紙用スクリーン装置。
【請求項４】
円筒形状のスクリーンの下端であって、該下端に内方に向かって突出して設けられた内方突出部と、
槽内に設けられて、前記内方突出部を支持する支持部材と、
この支持部材と前記内方突出部との間に介在する振動吸収材とを備えている
ことを特徴とする請求項３記載の製紙用スクリーン装置。
【発明の詳細な説明】
【技術分野】
【０００１】
本発明は、製紙用スクリーン装置に係り、特に、処理能力の向上を図った製紙用スクリーン装置に関する。
【０００２】
従来、例えば、スクリーンバスケット（円筒形状のスクリーン）の内側に回転羽根（撹拌部材）を設けたスクリーンがある（例えば、特許文献１  図１６参照）。
【特許文献１】特許第３１９０２５４号公報
【発明の開示】
【発明が解決しようとする課題】
【０００３】
このスクリーンにあっては、回転羽根（撹拌部材）の前部では、スクリーンバスケット（円筒形状のスクリーン）に対し加圧を生じ、回転羽根（撹拌部材）の後部では、スクリーンバスケット（円筒形状のスクリーン）に対し負圧になるようにして、スクリーンバスケット（円筒形状のスクリーン）の目洗い作用を自動的に逐次行っている。
しかしながら、この目洗い作用によっても、スクリーンバスケット（円筒形状のスクリーン）の入口側に製紙原料が淀み、これが要因となって処理能力の向上を図ることができないという問題点があった。
【０００４】
本発明は、上記の問題点を除去するようにした製紙用スクリーン装置を提供することを目的とする。
【課題を解決するための手段】
【０００５】
本発明の製紙用スクリーン装置は、製紙原料の入口部、精選出口部、異物出口部を有すると共に、該製紙原料を貯留する槽と、この槽内に設けて前記槽内を一次室と二次室に区画し、天井と底面を開放すると共に、外側面に開口部を有した円筒形状のスクリーンと、この円筒形状のスクリーンの内側に位置する前記一次室に設けられた撹拌部材と、前記円筒形状のスクリーンに当接して前記円筒形状のスクリーンが前記撹拌部材に接触しない範囲で前記円筒形状のスクリーンを振動させる振動部材とを備え、前記入口部及び前記異物出口部を前記一次室に、前記精選出口部を前記二次室に臨ませたものである。
【０００６】
また、請求項２記載の製紙用スクリーン装置は、請求項１記載の製紙用スクリーン装置において、円筒形状のスクリーンの外周に突出して設けられた突出部と、槽内に設けられて、前記突出部を支持する支持部材と、この支持部材と前記突出部との間に介在する振動吸収材とを備えているものである。
【０００７】
また、請求項３記載の製紙用スクリーン装置は、製紙原料の入口部、精選出口部、異物出口部を有すると共に、該製紙原料を貯留する槽と、この槽内に設けて前記槽内を一次室と二次室に区画し、閉塞した天井面と開放した底面を備えると共に、外側面に開口部を有した円筒形状のスクリーンと、この円筒形状のスクリーンの外側に位置する前記二次室内に設けられた撹拌部材と、前記円筒形状のスクリーンに当接して前記円筒形状のスクリーンが前記撹拌部材に接触しない範囲で前記円筒形状のスクリーンを振動させる振動部材とを備え、前記入口部及び前記異物出口部を前記二次室に、前記精選出口部を前記一次室に臨ませたものである。
【０００８】
また、請求項４記載の製紙用スクリーン装置は、請求項３記載の製紙用スクリーン装置において、円筒形状のスクリーンの下端であって、該下端に内方に向かって突出して設けられた内方突出部と、槽内に設けられて、前記内方突出部を支持する支持部材と、この支持部材と前記内方突出部との間に介在する振動吸収材とを備えているものである。
【発明の効果】
【０００９】
請求項１記載の製紙用スクリーン装置によれば、円筒形状のスクリーンを振動させ、該振動は円筒形状のスクリーンが内側に位置する撹拌部材に接触しない範囲であるため、撹拌部材により円筒形状のスクリーンが損傷を受けることを防ぎ、撹拌部材によるスクリーンの目洗い作用に加え、前記円筒形状のスクリーンに淀む製紙原料に流動性を与えて処理能力の向上を図ることができる。
【００１０】
また、請求項３記載の製紙用スクリーン装置によれば、円筒形状のスクリーンを振動させ、該振動は円筒形状のスクリーンが外側に位置する撹拌部材に接触しない範囲であるため、撹拌部材により円筒形状のスクリーンが損傷を受けることを防ぎ、撹拌部材によるスクリーンの目洗い作用に加え、前記円筒形状のスクリーンに淀む製紙原料に流動性を与えて処理能力の向上を図ることができる。
【発明を実施するための最良の形態】
【００１１】
本発明の製紙用スクリーン装置の一実施例を図面を参照して説明する。
（実施例１）
図１乃至図４において、１は製紙用スクリーン装置で、製紙用スクリーン装置１は、例えば、製紙原料をスクリーンの内側から外側に向かって流入させて精選するスクリーンで、製紙原料から、塵、異物を除去するための円筒形状のスクリーン２が槽３内に設けられている。
【００１２】
槽３は処理する製紙原料を貯留するところで、槽３には、製紙原料の入口部３１、精選出口部３２、異物出口部３３を有する。また、入口部３１は原料供給管（図示せず）に、精選出口部３２は原料排出管（図示せず）に、異物出口部３３は異物排出管（図示せず）に、それぞれ接続されている。なお、原料排出管（図示せず）より排出される精選された製紙原料は、他の工程へと導かれ、また、異物出口部３３に接続された異物排出管（図示せず）の中途には異物排出管（図示せず）の通路を開閉する開閉弁（図示せず）が設けられている。
【００１３】
上述した円筒形状のスクリーン２は、例えば、天井と底面を開放すると共に、外側面にスリット、丸孔等で形成された開口部２１を有し、槽３内に設けられ、槽３内を一次室３Ａと二次室３Ｂに区画している。なお、入口部３１及び異物出口部３３を一次室３Ａに、精選出口部３２を二次室３Ｂに、それぞれ臨ませるようになっている。
【００１４】
また、４は撹拌部材で、撹拌部材４は、例えば、円筒形の側面に突起４１を複数有し、円筒形状のスクリーン３の内側に位置する一次室３Ａに設けられている。なお、撹拌部材４は、図示しないモータからの回転をベルト４２、４２を介して回転するようになっている。
【００１５】
また、５は円筒形状のスクリーン２の側面に当接して円筒形状のスクリーン３が撹拌部材４に接触しない範囲で円筒形状のスクリーン３を振動させる振動部材で、６は振動を与える起振部（バイブレータ）である。振動部材５の先端は、図４に示すように、円筒形状のスクリーン２の側面に突出するように設けた中間突出部２２に当接している。なお、場合により、中間突出部２２を設けず、円筒形状のスクリーン２の側面に直接当接するようにしても良い。
【００１６】
なお、円筒形状のスクリーン２の外周には、中間突出部２２の他に、上方と下方に、それぞれ突出して設けられた突出部２３、２４（突出部２３、２４は、例えば、円筒形状のスクリーン２の外周に沿うように環状に設けられている。）がある。
この突出部２３、２４は、槽３内に設けられた支持部材７、８により支持され、この支持部材７と突出部２３との間に振動吸収材９（振動吸収材９は、例えば、合成ゴム、合成樹脂、スプリング等である。）が、支持部材８と突出部２４との間に振動吸収材１０（振動吸収材１０は、例えば、合成ゴム、合成樹脂、スプリング等である。）が、それぞれ介在している（図３参照）。
支持部材７は、槽３の内壁に接合された上部内壁支持部材７１と、この上部内壁支持部材７１に上第１ボルト７２を介して接続されると共に、円筒形状のスクリーン２の側に突出部２３を収納する断面逆Ｌ字収納部を有する上第１支持部材７３と、この上第１支持部材７３に下に位置し、下第１ボルト７４を介して上第１支持部材７３に接続される上第２支持部材７５とを有している。
また、支持部材７の下に位置する支持部材８は、槽３の内壁に接合された下部内壁支持部材８１と、この下部内壁支持部材８１に載置されると共に、円筒形状のスクリーン２の側に突出部２４を収納する断面Ｌ字収納部を有する下第１支持部材８２と、この下第１支持部材８２の上に位置し、ボルト８３を介して接続される下第２支持部材８４とを有している。
【００１７】
従って、図１乃至図４記載の製紙用スクリーン装置１においては、ポンプ（図示せず）により製紙原料が原料供給管（図示せず）、入口部３１を介して第１の室３Ａに導入されると、円筒形状のスクリーン２の製紙原料流入側において、円筒形状のスクリーン２と、撹拌部材４の突起４１による加圧・負圧の交互作用により、円筒形状のスクリーン２の目洗い作用に加え、円筒形状のスクリーン２は振動部材５により振動し、円筒形状のスクリーン２に淀む製紙原料に流動性を与えて処理能力の向上を図ることができる。
なお、振動部材５による円筒形状のスクリーン２の振動は円筒形状のスクリーン２が内側に位置する撹拌部材４の突起４１に接触しない範囲としているため、撹拌部材４の突起４１が円筒形状のスクリーン２に損傷を与えない。また、円筒形状のスクリーン２の振動は、振動吸収材９、１０により槽３に伝達しないようにしている。
また、円筒形状のスクリーン２の間隙部２１を通過した有用繊維は二次室３Ｂ内に導かれ、精選出口部３２を介して槽３外へ導かれる。なお、異物出口部３３に接続された異物排出管（図示せず）の開閉弁（図示せず）を適宜開くことにより、一次室３Ａ内の異物を槽３外へ導くようになっている。
【００１８】
（実施例２）
なお、上述した図１乃至図４記載の製紙用スクリーン装置１の振動部材５の振動は、水平方向によるものであったが、本願発明にあってはこれに限らず、例えば、図５乃至図７に示すように、円筒形状のスクリーン２を垂直方向に振動するようにしても良い。
この実施例にあっては、振動を与える起振部（バイブレータ）６が槽３の天井部に位置し、振動部材５が円筒形状のスクリーン２の上端面に当接している点を除けば、上述の実施例と同様であるので、本実施例においては、上述した図１乃至図４記載の製紙用スクリーン装置１と同一部分に同一符号を付してその説明を省略する。
なお、Ｓは槽３と振動部材５とのシールを図るシール部材で、１１は合成ゴム、合成樹脂、スプリング等の振動吸収材である。
【００１９】
（実施例３）
なお、上述した図１乃至図７記載の製紙用スクリーン装置は、製紙原料をスクリーンの内側から外側に向かって流入させて精選するスクリーンであったが、本願発明にあってはこれに限らず、例えば、図８及び図９に示すように、製紙原料をスクリーンの外側から内側に向かって流入させて精選するスクリーンについても、同様に適用して円筒形状のスクリーン２を振動するようにしても良い。
【００２０】
即ち、製紙原料を貯留する槽３は、製紙原料の入口部３１、精選出口部３２、異物出口部３３を有し、入口部３１は原料供給管（図示せず）に、精選出口部３２は原料排出管（図示せず）に、異物出口部３３は異物排出管（図示せず）に、それぞれ接続されている。なお、原料排出管（図示せず）より排出される精選された製紙原料は、他の工程へと導かれ、また、異物出口部３３に接続された異物排出管（図示せず）の中途には異物排出管（図示せず）の通路を開閉する開閉弁（図示せず）が設けられている。
【００２１】
また、外側面にスリット、丸孔等で形成された開口部を有した円筒形状のスクリーン２は、槽３内に設けて槽３内を一次室３Ａと二次室３Ｂに区画している。円筒形状のスクリーン２の天井面２２は、閉塞しているが、底面は開放し、該底面は精選出口部３２に連通するようになっている。
円筒形状のスクリーン２の外側に位置する撹拌部材４は、二次室３Ｂ内に設けられ、入口部３１及び異物出口部３３を二次室３Ｂに、精選出口部３２を一次室３Ａに、それぞれ臨む構成となっている。円筒形状のスクリーン２を振動させる振動部材５は、円筒形状のスクリーン２に当接して円筒形状のスクリーン２が撹拌部材４の攪拌部４１に接触しない範囲で円筒形状のスクリーン２を振動（例えば、図８及び図９のように水平方向、又は図１０に示すように垂直方向に振動させる。）させる。６は、上述の実施例と同様に、振動部材５に振動を与える起振部（バイブレータ）である。
【００２２】
また、図９に示す２３は、円筒形状のスクリーン２の下端であって、該下端に内方に向かって突出して設けられた内方突出部で、この内方突出部２３は、槽３内に設けられた支持部材１２に支持される。
支持部材１２は、槽３の内壁に接合され、内方突出部２３を収納する収納部位を有する下部内壁支持部材１２１と、この下部内壁支持部材の上に位置し、ボルト（図示せず）を介して接続される支持部材１２２とを有している。なお、１４は、支持部材１２と内方突出部２３との間に介在する合成ゴム、合成樹脂、スプリング等の振動吸収材である。
また、本実施例においては、上述した図１乃至図４記載の製紙用スクリーン装置１と同一部分に同一符号を付してその説明を省略する。
【図面の簡単な説明】
【００２３】
【図１】図１は、本発明の一実施例の製紙用スクリーン装置の概略的断面図である。
【図２】図２は、図１の２−２線による概略的断面図である。
【図３】図３は、図１の一部を拡大して示す概略的一部拡大断面図である。
【図４】図４は、図１の一部を拡大して示す概略的一部拡大断面図である。
【図５】図５は、図１の他の実施例の製紙用スクリーン装置の概略的断面図である。
【図６】図６は、図５の６−６線による概略的断面図である。
【図７】図７は、図５の一部を拡大して示す概略的一部拡大断面図である。
【図８】図８は、図５の他の実施例の製紙用スクリーン装置の概略的断面図である。
【図９】図９は、図８の一部を拡大して示す概略的一部拡大断面図である。
【図１０】図１０は、図８の他の実施例の製紙用スクリーン装置の概略的断面図である。
【符号の説明】
【００２４】
１        製紙用スクリーン装置
２        円筒形状のスクリーン
３        槽
３Ａ      一次室
３Ｂ      二次室
４        撹拌部材
５        振動部材
２１      開口部
３１      入口部
３２      精選出口部
３３      異物出口部
【図１】
2008223151.tif 000003
【図２】
2008223151.tif 000004
【図３】
2008223151.tif 000005
【図４】
2008223151.tif 000006
【図５】
2008223151.tif 000007
【図６】
2008223151.tif 000008
【図７】
2008223151.tif 000009
【図８】
2008223151.tif 000010
【図９】
2008223151.tif 000011
【図１０】
2008223151.tif 000012